【事件の表示】
　平成１１年特許願第　１８５０９号「ミシンの情報表示装置」拒絶査定に対する審判事件［平成１１年　９月２８日出願公開、特開平１１−２６２５８６］について、次のとおり審決する。
【結　論】
　本件審判の請求は、成り立たない。
【理　由】
１．手続の経緯・本願発明の特定
　本願は、昭和６２年１１月１３日に出願した特願昭６２−２８８１６２号の出願（以下、「原出願」という。）の一部を、平成８年１２月２６日に特許法第４４条第１項の規定により新たな特許出願とした特願平８−３４７５４３号の出願の一部を、更に、平成１０年１２月７日に同法の規定により新たな特許出願とした特願平１０−３４７２５４号の出願の一部を、更に、平成１０年１２月２８日に同法の規定により新たな特許出願とした特願平１０−３７２８３９号の出願の一部を、平成１１年１月２７日に同法の規定により新たな特許出願としたものであって、その特許請求の範囲の請求項１に記載された発明（以下、「本願発明」という。）の要旨は、明細書及び図面の記載から見て、その特許請求の範囲の請求項１に記載された次のとおりのものである。
　「模様を縫製するために上下動する針棒と、その針棒の近傍に設けられ、縫製運転を開始或いは停止させるための操作手段と、模様等の情報を表示する為の表示器とを備えたミシンの情報表示装置において、複数種類に分類されたミシンの説明情報はさらに複数の副分類に分類され、その複数の副分類の各々にはミシンの説明文と説明文の理解を容易にする為の画像との情報を含むミシンの説明情報を情報メモリから読み出し、前記複数の説明情報の１つを択一的に選択してその選択された説明情報に含まれる複数の副分類の１つを択一的に選択し、かつ前記操作手段から離れた位置に設けられた選択手段と、前記選択手段で選択された副分類の１つに含まれるミシンの説明文と画像により前記ミシンの説明表示を前記表示器に出力する表示制御装置とを備え、前記表示制御装置は、前記選択手段で選択されたミシンの説明情報に含まれる複数の副分類の１つを択一的に選択する際に、選択されたミシンの説明情報を指示する複数の表示モードの列挙表示中で現在選択されている表示モードを示す表示を前記表示器に表示させると共に、その表示状態でその表示モードに属する副分類を前記表示器に表示させることを特徴とするミシンの情報表示装置。」
  なお、「前記ミシンの説明表示」は「前記ミシンの説明情報」の誤記と認める。
　
２．引例 
　これに対して、原査定の拒絶の理由に引用された、原出願の出願日前の昭和５８年１月２９日に公開された実願昭５６−１０８４１３号（実開昭５８−１４８６７号公報）のマイクロフィルム（以下「引例」という。）には、次の事項が記載されている。
・記載１（４頁１６行目〜５頁３行目）
  「下端に縫針４ａを有する針棒４がミシン主軸に連動して上下動可能及び揺動可能に支承され、ベッド２内に設けられた糸輪捕捉器（図示しない）との協動により加工布（図示しない）に各種の縫目が形成されるようになっている。」
・記載２（５頁１２〜末行）
　「形成可能な各種の縫目模様の形象６が表示され、その各形象６の下方にそれぞれ模様選択操作体として模様選択スイッチ７が列設された模様表示パネル８が設けられている。そして、これら模様選択スイッチ７を適宜選択して押圧することにより、その選択した形象６の縫目模様の縫製が可能となる。」
・記載３（５頁末行〜６頁４行目）
  「模様表示パネル８の左側下方には自動復帰型の起動スイッチ９が設けられ、これを１回押すと……ミシンモータが駆動され、再び押すと停止される」
・記載４（６頁１３〜末行） 
　「光学表示パネルとしての液晶表示装置（以下ＬＣＤという）１０が設けられ、縫目模様形成前に必要とされる縫製準備作業の内容を図形で表示する。このＬＣＤ１０は本実施例では縦横等間隔に多数の液晶材を配設したドットマトリックス方式の表示装置」  
・記載５（１３頁１３行目〜１５頁６行目）  
　「ボタン穴かがりを行うべく所要の模様選択スイッチを押すと、……ボタン穴かがりにおける準備作業の内容を表わす図形表示情報ＧＤを読出すべく、その上位アドレスを指定するアドレス信号ＡＤ３を図形表示情報メモリ３０に出力する。同メモリ３０はこのアドレス信号ＡＤ３に応答して……ＬＣＤ１０に第３図（ａ）に示すようにボタン穴かがりに必要な準備内容を示す図形Ｇ１〜Ｇ５を表示させる……一方、これと同時に、……音声表示情報メモリ３１からボタン穴かがりにおける準備作業の内容を表わす音声表示情報ＶＤを読出し、……音声信号ＳＧ３を合成してスピーカ１５に出力する。」 
３．対比  
  記載１の「各種の縫目が形成される」は本願発明の「模様を縫製する」に、記載３の「起動スイッチ」は本願発明の「操作手段」に、記載２の「模様表示パネル」は本願発明の「模様等の情報を表示する為の表示器」にそれぞれ相当し、且つ、１図には「起動スイッチ」が針棒近傍に設けられていることが示されているので、
  記載１〜３と１図とには、本願発明の「模様を縫製するために上下動する針棒と、その針棒の近傍に設けられ、縫製運転を開始或いは停止させるための操作手段と、模様等の情報を表示する為の表示器」なる構成が開示されている。
　記載５の「準備作業の内容」は本願発明の「ミシンの説明情報」に相当し、同様に、「図形表示情報メモリ」と「音声表示情報メモリ」との双方が「情報メモリ」に、「模様選択スイッチ」は「選択手段」にそれぞれ相当し、且つ、記載５全体からみて「模様選択スイッチ」により、図形情報メモリと音声情報メモリとから、ミシンの説明情報の一つを択一的に選択して読出せることは明らかであるので、
　記載５には、本願発明の「ミシンの説明情報を情報メモリから読出し、複数の説明情報の１つを択一的に選択」する「選択手段」なる構成が開示されている。
　記載４の「（準備作業の内容を表示する為の）表示装置」は本願発明の「（ミシンの説明情報を表示する為の）表示器」に相当する。
　また、記載５には準備作業の内容（ミシンの説明情報）のうち図形表示情報を記載４の液晶表示装置に出力する制御に関する記載があるので、
　記載４と記載５とには、本願発明の「選択手段で選択されたミシンの説明情報を表示器に出力する表示制御装置」なる構成が開示されている。
　してみると、引例には、本願発明の「模様を縫製するために上下動する針棒と、その針棒の近傍に設けられ、縫製運転を開始或いは停止させるための操作手段と、模様等の情報を表示する為の表示器とを備えたミシンの情報表示装置において、ミシンの説明情報を情報メモリから読出し、複数の説明情報の１つを択一的に選択する選択手段と、選択手段で選択されたミシンの説明情報を表示器に出力する表示制御装置とを備えたことを特徴とするミシンの情報表示装置。」
（以下、「構成イ」という。）が開示されている。 
　そこで、本願発明と引例に記載された事項から把握される発明（以下、「引例発明」という。）とを対比すると、両者は構成イである点で一致し、次の点で相違している。   
(1) 相違点１ 
　ミシンの説明情報（準備作業の内容）の分類手法と選択手段とに関して、本願発明は、情報を主分類から副分類へと階層的に分類してメモリに格納し、それらを読出し、主分類の１つを選択した後、その下位に属する副分類の１つを選択することにより目的の情報を選択する選択手段を備えている、即ち、「複数種類に分類されたミシンの説明情報はさらに複数の副分類に分類され、その複数の副分類を情報メモリから読み出し、前記複数の説明情報の１つを択一的に選択してその選択された説明情報に含まれる複数の副分類の１つを択一的に選択」する「選択手段」を備えているのに対して、引例発明の模様選択スイッチ（選択手段）は、このような構成を備えていない点。
(2) 相違点２ 
　主分類から副分類へと階層的に分類してあるミシンの説明情報の、副分類の選択手段に関して、本願発明は、選択済の主分類を他の非選択主分類と識別可能にしながら、両者を複数列挙表示し、さらに、その選択済の主分類に属する副分類も同じ表示器内に同時に表示させ、所望の副分類を択一的に選択可能としている、即ち、「表示制御装置は、選択手段で選択されたミシンの説明情報に含まれる複数の副分類の１つを択一的に選択する際に、選択されたミシンの説明情報を指示する複数の表示モードの列挙表示中で現在選択されている表示モードを示す表示を前記表示器に表示させると共に、その表示状態でその表示モードに属する副分類を前記表示器に表示させる」ようにしているのに対して、引例発明の選択手段は、このような構成を採用していない点。  
(3) 相違点３
  ミシンの説明情報（準備作業の内容）の内容に関して、本願発明は、操作手順の説明文と画像の双方を、情報メモリから読み出し、表示器に表示している、即ち、「複数の副分類の各々にはミシンの説明文と説明文の理解を容易にする為の画像との情報を含むミシンの説明情報を情報メモリから読み出し、」「選択手段で選択された副分類の１つに含まれるミシンの説明文と画像によりミシンの説明情報を表示器に出力する表示制御装置とを備え」ているのに対して、引例発明は図形については同様の処理をしているが、説明文については、音声情報をメモリから読出し、表示器ではなくスピーカに音声出力している（記載５参照）点。
(4) 相違点４
　ミシンの説明情報（準備作業の内容）を表示する為の表示器に関して、本願発明は、ミシンの説明情報を表示する為の表示器と、模様等の情報を表示する為の表示器とを兼用している、即ち、「ミシンの説明情報を」「模様等の情報を表示する為の表示器」「に出力する表示制御装置とを備え」ているのに対して、引例発明は、準備作業の内容を表示する為の表示器と、模様を表示する為の表示器とを別個に設けている点
(5) 相違点５ 
　操作手段（起動スイッチ）と、選択手段（模様選択スイッチ）との位置関係に関して、本願発明は、両者が離れた位置に設けられている、即ち、「操作手段から離れた位置に設けられた選択手段」を備えているのに対して、引例発明は、模様選択スイッチと起動スイッチとを接近した位置に設けている点。
　
４．当審の判断   
(1) 相違点１について   
　表示装置を有する一般の情報検索装置において、必要な情報を主分類から副分類へと階層的に分類して記憶手段（メモリ）に格納し、格納した主分類を読出し表示し、その中から一つの主分類を選択し、さらにその選択された主分類に該当する副分類を前記記憶手段から読出し、表示し、その中から目的の副分類を選択するようにした情報選択手段は周知である。（所望なら、特開昭６２−３８９７６号公報を参照されたい。） 
　ミシンの説明情報を相違点１のように検索表示できるようにすること自体は、ミシンの説明情報の具体的開示内容とは直接関係のないデータ処理技術であるので、本願発明において、一般の情報検索表示手段においてよく知られた上記周知技術を採用した点に格別のものはない。 
(2) 相違点２について  
  全ての選択項目（模様）を表示したままで、どの項目（模様）が選択されたかを表示するとともに、その選択されたものの情報を併せて表示することは、よく知られたことであり（必要とあれば、実願昭５８−１２１３３６号（実開昭６０−３０７７６号）のマイクロフィルムを参照されたい。選択模様スイッチ３で模様の一つを選ぶと、表示ランプにより選択されたことを表示することが記載されており、ガイダンススイッチを押すと、選択された項目（模様）に対応して、送り量などを表示することが記載されている。）、本願発明において相違点２の構成とした点に格別のものはない。
(3) 相違点３について
　一般の装置、機器の操作手順表示手段として、表示器に操作手順の説明文と、その説明文に関する画像の双方を記憶手段から読出し、表示器に表示するようにすることは周知である。（所望なら、特開昭６０−２３０１６２号公報を参照されたい。）
　ミシンの説明情報を相違点３のように表示させること自体は、ミシンの説明情報の具体的開示内容とは直接関係のない、操作手順の表示手段に関する技術であるので、本願発明において、一般の操作手順の表示手段においてよく知られた上記周知技術を採用した点に、格別のものはない。 
(4) 相違点４について
  ミシンにおいて、種類の異なる情報を表示するための表示器を兼用、即ち、１つの表示器に種類の異なる情報を切換え表示可能とすることは周知の技術手段であるので（所望なら、実願昭５８−１２１３３６号（実開昭６０−３０７７６号公報）のマイクロフィルムを参照されたい。）、本願発明において表示器を兼用した点に格別のものはない。
(5) 相違点５について
  ミシンにおいて、縫製運転を開始或は停止させるための停止操作手段と、ミシンの説明情報を選択するための選択手段とを離れた位置に設けらることは周知であり（所望なら、特公昭６０−７０号公報を参照されたい。）、この点に格別のものはない。
５．むすび                    　
　本願発明は、引例発明に周知の技術手段を適用することにより当業者が容易に発明をすることができるので、特許法第２９条第２項の規定により特許を受けることができない。 
　それ故、本願出願は、特許請求の範囲の請求項２、３に係る発明について検討するまでもなく、拒絶すべきものである。
　よって、結論のとおり審決する。